(57)【要約】  線通信端末同士で効率的且つ安全に通信を行うことができるネットワークを構築可能な無線ネットワーク構築装置を提供する。無線ネットワーク構築装置１は、無線通信端末１０に設けられ、他の無線通信端末２との間で無線ネットワークを構築する。無線ネットワーク構築装置１は、他の無線通信端末２との間で無線通信を行う無線通信部１１と、記無線通信端末１０が前記無線ネットワークの構築に参加している場合には、無線通信部１１を介して、前記無線ネットワークの構築への参加を求める無線通信端末に対して投票を行う投票部１２と、無線通信端末１０が投票部１２によって投票された無線通信端末である場合には、投票結果に基づいて、前記無線ネットワークの構築に参加するネットワーク構築部１３とを備える。
2016158924.tif 000002
【特許請求の範囲】
【請求項１】
無線通信端末に設けられ、他の無線通信端末との間で無線ネットワークを構築するための無線ネットワーク構築装置であって、
前記他の無線通信端末との間で無線通信を行う無線通信部と、
前記無線通信端末が前記無線ネットワークの構築に参加している場合には、前記無線通信部を介して、前記無線ネットワークの構築への参加を求める無線通信端末に対して投票データを送信する投票部と、
前記無線通信端末が前記投票部によって投票された無線通信端末である場合には、投票の結果に応じて、前記無線ネットワークの構築に参加するネットワーク構築部とを備える、無線ネットワーク構築装置。
【請求項２】
請求項１に記載の無線ネットワーク構築装置において、
前記投票部から前記無線通信部を介して送信された投票データを集計する投票集計部と、
前記集計の結果と閾値とを比較して、無線ネットワークの構築に参加するかどうかの判定を行うネットワーク構築判定部とをさらに備え、
前記ネットワーク構築部は、前記ネットワーク構築判定部によって、無線ネットワークの構築に参加すると判定された場合に、該無線ネットワークの構築に参加する、無線ネットワーク構築装置。
【請求項３】
請求項２に記載の無線ネットワーク構築装置において、
前記投票集計部によって集計された投票データを表示する投票結果表示部をさらに備え、
前記投票集計部は、前記無線通信端末が前記投票部によって投票された無線通信端末である場合には、前記集計結果を、前記無線通信部を介して、それ以外の無線通信端末に送信し、
前記投票結果表示部は、前記無線通信端末が前記それ以外の無線通信端末である場合には、前記投票部によって投票された無線通信端末から前記集計結果を受信した際に、該集計結果を表示する、無線ネットワーク構築装置。
【請求項４】
請求項１から３のいずれか一つに記載の無線ネットワーク構築装置において、
前記投票部は、投票を受け付ける投票期間の終了後、再度、投票動作を行う、無線ネットワーク構築装置。
【請求項５】
複数の無線通信端末との間で無線ネットワークを構築するための無線ネットワーク構築方法であって、
前記複数の無線通信端末の無線ネットワークへの参加状況を検出する参加状況検出ステップと、
前記無線ネットワークの構築に参加している無線通信端末から、前記無線ネットワークの構築に参加していない無線通信端末のうち前記無線ネットワークの構築に参加している無線通信端末のユーザーが選択した無線通信端末に対し、無線通信を介して、前記無線ネットワークへの参加を促す投票データを送信する投票ステップと、
前記投票の対象となった無線通信端末が、投票の結果に応じて、前記無線ネットワークの構築に参加するネットワーク構築ステップとを備える、無線ネットワーク構築方法。
【請求項６】
請求項５に記載の無線ネットワーク構築方法において、
前記投票の対象となった無線通信端末において、前記投票ステップで送信された投票データを集計する投票集計ステップと、
前記集計の結果と閾値とを比較して、無線ネットワークの構築に参加するかどうかの判定を行うネットワーク構築判定ステップと、をさらに備え、
前記ネットワーク構築ステップでは、前記ネットワーク構築判定ステップによって、無線ネットワークの構築に参加すると判定された場合に、前記投票の対象となった無線通信端末が、前記無線ネットワークの構築に参加する、無線ネットワーク構築方法。
【請求項７】
請求項６に記載の無線ネットワーク構築方法において、
前記投票集計ステップでは、前記投票の対象となった無線通信端末において、前記集計結果を、無線通信を介して、他の無線通信端末に送信するとともに、該他の無線通信端末では、前記集計結果を受信した際に、該集計結果を表示画面に表示する、無線ネットワーク構築方法。
【請求項８】
請求項５から７のいずれか一つに記載の無線ネットワーク構築方法において、
前記投票ステップでは、投票を受け付ける投票期間の終了後、再度、投票を受け付ける、無線ネットワーク構築方法。
【請求項９】
複数の無線通信端末との間で無線ネットワークを構築するための無線ネットワーク構築方法を実行させるプログラムを記録したコンピュータ読み取り可能な記録媒体であって、
コンピュータに、
前記複数の無線通信端末の無線ネットワークへの参加状況を検出する参加状況検出ステップと、
前記無線ネットワークの構築に参加している無線通信端末から、前記無線ネットワークの構築に参加していない無線通信端末のうち前記無線ネットワークの構築に参加している無線通信端末のユーザーが選択した無線通信端末に対し、無線通信を介して、前記無線ネットワークへの参加を促す投票データを送信する投票ステップと、
前記投票の対象となった無線通信端末が、投票の結果に応じて、前記無線ネットワークの構築に参加するネットワーク構築ステップとを実行させる命令を含む、プログラムを記録したコンピュータ読み取り可能な記録媒体。
【請求項１０】
請求項９に記載のコンピュータ読み取り可能な記録媒体において、
前記プログラムが、前記コンピュータに、
前記投票の対象となった無線通信端末において、前記投票ステップで送信された投票データを集計する投票集計ステップと、
前記集計の結果と閾値とを比較して、無線ネットワークの構築に参加するかどうかの判定を行うネットワーク構築判定ステップと、をさらに実行させる命令を含み、
前記ネットワーク構築ステップでは、前記ネットワーク構築判定ステップによって、無線ネットワークの構築に参加すると判定された場合に、前記投票の対象となった無線通信端末が、前記無線ネットワークの構築に参加する、コンピュータ読み取り可能な記録媒体。
【請求項１１】
請求項１０に記載のコンピュータ読み取り可能な記録媒体において、
前記投票集計ステップでは、前記投票の対象となった無線通信端末において、前記集計結果を、無線通信を介して、他の無線通信端末に送信するとともに、該他の無線通信端末では、前記集計結果を受信した際に、該集計結果を表示画面に表示する、コンピュータ読み取り可能な記録媒体。
【請求項１２】
請求項９から１１のいずれか一つに記載のコンピュータ読み取り可能な記録媒体において、
前記投票ステップでは、投票を受け付ける投票期間の終了後、再度、投票を受け付ける、コンピュータ読み取り可能な記録媒体。
【発明の詳細な説明】
【技術分野】
【０００１】
本発明は、端末同士で無線ネットワークを構築するための無線ネットワーク構築装置、無線ネットワーク構築方法、及びこれらを実現するためのプログラムを記録したコンピュータ読み取り可能な記録媒体に関する。
【背景技術】
【０００２】
近年、災害や停電などにより基盤ネットワークが使用できない状況において、通信を行うためにモバイルアドホックネットワークを利用する研究が盛んに行われている。例えば特許文献１に開示されるように、モバイルアドホックネットワークは、無線通信端末同士がネットワーク接続することにより、相互の通信を可能とする。これにより、基地局などを使用しなくても通信を行うことができる。【０００３】
特許文献１に開示されるアドホックネットワーク通信システムでは、通信グループを管理する管理統合端末に対して加入申請した他の通信端末が、通信グループへの加入条件を満足するならば、前記管理統合端末によって該他の通信端末の加入を許可する。このように、ネットワークへの参加の許可を求める方法として、例えば特許文献２に開示されるように、無線アドホックネットワークへの登録を求める要求機器に対し、ユーザーによって登録を承認する方法も知られている。
【先行技術文献】
【特許文献】
【０００４】
【特許文献１】特開２００９−１６５０７０号公報
【特許文献２】特表２００７−５２３５５１号公報
【発明の概要】
【発明が解決しようとする課題】
【０００５】
上述のモバイルアドホックネットワークでは、一般的に、無線通信端末同士で通信を行うために、利用者によって無線通信端末の通信モードを設定する必要がある。しかしながら、災害時などでは、無線通信端末の紛失や利用者の不慮の事故などにより、利用者が無線通信端末を操作できない状況が生じる可能性がある。【０００６】
また、モバイルアドホックネットワークでは、できるだけ多くの無線通信端末を通信経路とすることにより、冗長性を持たせことが重要である。しかしながら、上述のように通信モードを設定できない状態の無線通信端末が存在する状況では、無線通信端末同士によって構築されるネットワークが限定的となり、モバイルアドホックネットワークが十分に機能しない場合がある。【０００７】
これに対し、上述の特許文献１，２に開示されている構成のように、他の利用者に管理者権限を与えることにより、上述のようにネットワークに参加できない無線通信端末が存在する場合に、該無線通信端末を強制的にアドホックネットワークに参加させる方法が考えられる。しかしながら、このように利用者に管理者権限を与えた場合、管理者権限が悪用されると、無線通信端末の乗っ取りなどが行われる可能性があり、セキュリティ上の弱点となる可能性がある。【０００８】
本発明の目的は、無線通信端末同士で効率的且つ安全に通信を行うことができるネットワークを構築可能な無線ネットワーク構築装置を提供することにある。
【課題を解決するための手段】
【０００９】
上記目的を達成するため、本発明の一側面における無線ネットワーク構築装置は、無線通信端末に設けられ、他の無線通信端末との間で無線ネットワークを構築するための無線ネットワーク構築装置である。無線ネットワーク構築装置は、前記他の無線通信端末との間で無線通信を行う無線通信部と、前記無線通信端末が前記無線ネットワークの構築に参加している場合には、前記無線通信部を介して、前記無線ネットワークの構築への参加を求める無線通信端末に対して投票データを送信する投票部と、前記無線通信端末が前記投票部によって投票された無線通信端末である場合には、投票の結果に応じて、前記無線ネットワークの構築に参加するネットワーク構築部とを備える。【００１０】
また、上記目的を達成するため、本発明の一側面における無線ネットワーク構築方法は、複数の無線通信端末との間で無線ネットワークを構築するための無線ネットワーク構築方法である。無線ネットワーク構築方法は、前記複数の無線通信端末の無線ネットワークへの参加状況を検出する参加状況検出ステップと、前記無線ネットワークの構築に参加している無線通信端末から、前記無線ネットワークの構築に参加していない無線通信端末のうち前記無線ネットワークの構築に参加している無線通信端末のユーザーが選択した無線通信端末に対し、無線通信を介して、前記無線ネットワークへの参加を促す投票データを送信する投票ステップと、前記投票の対象となった無線通信端末が、投票の結果に応じて、前記無線ネットワークの構築に参加するネットワーク構築ステップとを備える。【００１１】
更に、上記目的を達成するため、本発明の一側面におけるコンピュータ読み取り可能な記録媒体は、複数の無線通信端末との間で無線ネットワークを構築するための無線ネットワーク構築方法を実行させるプログラムである。このプログラムは、コンピュータに、前記複数の無線通信端末の無線ネットワークへの参加状況を検出する参加状況検出ステップと、前記無線ネットワークの構築に参加している無線通信端末から、前記無線ネットワークの構築に参加していない無線通信端末のうち前記無線ネットワークの構築に参加している無線通信端末のユーザーが選択した無線通信端末に対し、無線通信を介して、前記無線ネットワークへの参加を促す投票データを送信する投票ステップと、前記投票の対象となった無線通信端末が、投票の結果に応じて、前記無線ネットワークの構築に参加するネットワーク構築ステップとを実行させる命令を含む、プログラムを記録している。
【発明の効果】
【００１２】
以上のように本発明の構成によれば、無線通信端末同士で効率的且つ安全に通信を行うことができる無線ネットワークを構築可能な無線ネットワーク構築装置を提供することができる。
【図面の簡単な説明】
【００１３】
【図１】無線ネットワーク構築装置の全体構成を示すブロック図である。
【図２】無線ネットワークを構築する様子を模式的に示す図である。
【図３】無線ネットワーク構築装置の詳細構成を示すブロック図である。
【図４】無線ネットワーク構築装置の動作の一例を示すフローである。
【図５】コンピュータの構成の一例を示す図である。
【発明を実施するための形態】
【００１４】
以下、本発明の実施形態に係る無線ネットワーク構築装置、無線ネットワーク構築方法及びプログラムについて、図１から図５を参照しながら説明する。
【００１５】
図１は、本発明の実施形態に係る無線ネットワーク構築装置１の全体構成を示す図である。無線ネットワーク構築装置１は、無線通信端末内に設けられている。無線ネットワーク構築装置１は、他の無線通信端末２の無線ネットワーク構築装置との間で無線ネットワークを構築するとともに、ネットワークの構築に参加していない無線通信端末のうち参加させたい無線通信端末を、それ以外の無線通信端末の無線ネットワーク構築装置とともに行った投票の結果に応じてネットワークの構築に参加させる装置である。
【００１６】
無線ネットワーク構築装置１は、無線通信によって、他の無線通信端末との間で無線ネットワークを構築する。このような無線ネットワークとして、例えばアドホックネットワークが挙げられる。アドホックネットワークは、無線通信端末同士がネットワーク接続することにより、相互の通信を可能とするもので、基地局などを使用しなくても通信を行うことができる。
【００１７】
ここで、無線通信とは、ＷｉＦｉ、無線ＬＡＮ、Ｂｌｕｅｔｏｏｔｈ（登録商標）など、電波を用いて行われる通信である。
【００１８】
無線ネットワーク構築装置１は、無線ネットワークの構築に参加していない無線通信端末を検出するとともに、該無線通信端末を無線ネットワークの構築に参加させるために、無線ネットワークに参加している他の無線通信端末の無線ネットワーク構築装置と一緒に、無線ネットワークの構築に参加していない無線通信端末を参加させるかどうかの投票を行う。そして、その投票結果に応じて、無線ネットワークに参加していない無線通信端末の無線ネットワーク構築装置では、無線ネットワークの構築に参加するかどうかを判定する。その無線通信端末の無線ネットワーク構築装置１は、無線ネットワークの構築に参加すると判定した場合には、他の無線通信端末とともに無線ネットワークの構築を行う。
【００１９】
具体的には、無線ネットワーク構築装置１は、無線通信部１１と、投票部１２と、ネットワーク構築部１３とを備える。無線通信部１１は、他の無線通信端末２との間で無線通信を行う。具体的には、無線通信部１１によって、他の無線通信端末２との間で無線ネットワークを構築するとともに、無線ネットワークの構築に参加していない無線通信端末に対して投票する際の後述の投票データ及び集計結果データの送受信を行う。
【００２０】
投票部１２は、無線ネットワークの構築に参加していない無線通信端末に対し、投票を行う。具体的には、投票部１２は、他の無線通信端末の無線ネットワーク構築への参加状況を検出し、その結果を一覧表示する。そして、ユーザーが無線ネットワークの構築に参加させたい無線通信端末を選択した場合、投票部１２は、該無線通信端末に対して、参加を要請する旨の投票を行う。
【００２１】
ネットワーク構築部１３は、投票部１２による投票の結果、他のユーザーから無線ネットワークの構築への参加を求める投票が閾値よりも多かった場合には、他の無線通信端末との間でネットワークの構築を行う。
【００２２】
図２に、無線通信端末１０が、他の無線通信端末２〜５の投票によって、ネットワークを構築する様子を模式的に示す図である。図２に示すように、無線通信端末２〜５によって、無線ネットワークが構築されている（実線に示すように相互に無線通信可能なネットワークが構築されている）。この図２の状況では、無線通信端末２〜５は、無線通信端末６に対し、無線ネットワークを介して情報の送受信が必要であるにもかかわらず、無線通信端末６との距離が遠く、該無線通信端末６に対して直接、無線通信を行うことが難しい。なお、無線通信端末２〜６，１０には、それぞれ、無線ネットワーク構築装置１が設けられている。
【００２３】
このような状況では、無線通信端末１０が無線ネットワークの構築に参加することにより、無線通信端末２〜５は、無線通信端末１０を介して無線通信端末６との間で情報の送受信を行うことができる。この場合、無線通信端末２〜５のユーザーは、それぞれ無線ネットワーク構築装置１によって、無線ネットワークの構築に参加していない無線通信端末１０に対し、該無線通信端末１０を無線ネットワークの構築に参加させるかどうかの投票を行う。投票の結果、無線通信端末１０を無線ネットワークの構築に参加させる投票数が閾値よりも多ければ、無線通信端末１０は、無線ネットワークの構築に参加する。これにより、図２に実線及び破線で示すような無線ネットワークが構築される。
【００２４】
以上の構成により、無線通信端末１０の紛失や、不慮の事故によって無線通信端末１０をユーザーが操作できない状況であっても、無線ネットワークの構築に必要な無線通信端末１０を、他のユーザーの総意のもとで、無線ネットワークの構築に参加させることができる。
【００２５】
したがって、特定のユーザーに無線ネットワークの権限等を与えることなく、複数の無線通信端末２〜６，１０を用いて無線通信のネットワークを構築することができる。よって、効率的に且つ安全に無線通信を行う無線ネットワークの構築が可能になる。
【００２６】
次に、無線ネットワーク構築装置１のより具体的な構成を、図３を用いて詳細に説明する。図３は、本発明の実施形態に係る無線ネットワーク構築装置１の構成を具体的に示すブロック図である。
【００２７】
無線ネットワーク構築装置１は、例えば無線通信端末１０内のＣＰＵ及びメモリなどによって構成される。無線ネットワーク構築装置１は、無線通信部１１と、投票部１２と、ネットワーク構築部１３と、投票受付部１４とを有する。
【００２８】
無線通信部１１は、他の無線通信端末２との間で、無線通信を行う。具体的には、無線通信部１１は、他の無線通信端末２との間で無線ネットワークを構築するとともに、他の無線通信端末２から、その端末のＩＤと該端末が無線ネットワークの構築に参加しているかどうかの情報を受信する。また、無線通信部１１は、後述の投票動作の際に投票部１２及び投票受付部１４によって他の無線通信端末２との間で投票データ及び集計結果データを送受信する。
【００２９】
投票部１２は、無線ネットワークの構築に参加しない無線通信端末が存在する場合、その無線通信端末を参加させるかどうかの投票動作を行う。投票部１２は、端末情報記憶部２１と、端末一覧表示部２２と、投票実行部２３とを備える。
【００３０】
端末情報記憶部２１は、無線通信部１１によって受信された、他の無線通信端末２のＩＤと無線ネットワークの構築に参加しているかどうかの情報とを、記憶する。この端末情報記憶部２１では、ＩＤと無線ネットワークの構築に参加しているかどうかの情報とが関連付けて記憶されている。
【００３１】
端末一覧表示部２２は、端末情報記憶部２１に記憶されている各無線通信端末のＩＤと無線ネットワークの構築への参加の有無の情報とを、一覧表示する。端末一覧表示部２２は、例えば、液晶ディスプレイなどにＩＤ及び情報を一覧表示する。また、端末一覧表示部２２は、ユーザーが、無線ネットワークに参加させたい無線通信端末を選択して投票可能なように、表示画面に選択ボタン（図示省略）を表示する。
【００３２】
投票実行部２３は、端末一覧表示部２２によって画面表示された無線通信端末のＩＤ及び情報の一覧において、ユーザーが無線ネットワークの構築に参加させたい無線通信端末を選択した場合に、その無線通信端末に対して投票動作を行う。具体的には、投票実行部２３は、無線ネットワークの構築に参加させたい無線通信端末に対し、無線通信部１１を介して、投票データを送信する。この投票データには、投票を行った無線通信端末のＩＤも含まれている。なお、投票実行部２３は、投票対象の無線通信端末（無線ネットワークの構築に参加させたい無線通信端末）のＩＤを用いて投票データを送信する。
【００３３】
以上の構成により、無線ネットワークの構築に参加していない無線通信端末を検出して、該無線通信端末を無線ネットワークの構築に参加させるように投票を行うことができる。
【００３４】
投票受付部１４は、投票結果記憶部３１と、投票結果表示部３２と、閾値記憶部３３と、ネットワーク構築判定部３４とを備える。投票結果記憶部３１は、投票対象の無線通信端末において、無線ネットワークの構築に参加している他の無線通信端末によって投票が行われた場合に、その投票結果を記憶する。すなわち、投票結果記憶部３１は、無線通信部１１を介して無線ネットワークの構築に参加している他の無線通信端末から投票データが送信された場合に、該投票データを集計して記憶する。なお、投票結果記憶部３１には、投票データの集計結果だけでなく、投票データが送信されてきた無線通信端末のＩＤも記憶されている。
【００３５】
投票結果記憶部３１は、投票データの集計結果を、無線通信部１１を介して他の無線通信端末２にも送信するように構成されている。これにより、投票結果を、投票対象の無線通信端末だけでなく、他の無線通信端末にも伝えることができる。したがって、無線ネットワークを構築する各無線通信端末で、投票結果を把握することができるため、各ユーザーの利便性を向上することができる。なお、本実施形態では、投票結果記憶部３１は、無線通信部１１を介して他の無線通信端末２にも投票結果を送信可能に構成されているが、この限りではなく、投票結果を他の無線通信端末に送信しない構成であってもよい。
【００３６】
投票結果表示部３２は、投票結果記憶部３１に記憶されている投票データの集計結果を表示する。すなわち、投票結果表示部３２は、投票データが投票結果記憶部３１に集積されている場合には、液晶画面などの表示画面に、投票結果を表示する。また、投票結果表示部３２は、後述するネットワーク構築判定部３４による無線ネットワークの構築への参加の判定結果も表示する。なお、投票結果表示部３２は、集計結果及び判定結果のいずれか一方のみを表示してもよい。また、投票結果及び判定結果の表示が不要な場合には、投票結果表示部３２を無線ネットワーク構築装置１に設けなくてもよい。
【００３７】
閾値記憶部３３は、後述のネットワーク構築判定部３４によって無線ネットワークの構築に参加するかどうかを判定するための投票データの閾値が記憶されている。閾値記憶部３３に記憶されている閾値は、ユーザー等が設定してもよいし、予め設定されている値であってもよい。
【００３８】
ネットワーク構築判定部３４は、投票結果記憶部３１に記憶されている投票データの集計結果が閾値記憶部３３に記憶されている閾値よりも大きいかどうかを判定し、投票データの集計結果が閾値よりも大きい場合に、無線ネットワークの構築に参加という判定を行う。すなわち、ネットワーク構築判定部３４は、投票データの集計結果が閾値よりも大きければ、他のユーザーから強く参加要請されていると判断して、無線ネットワークの構築参加の判定信号を出力する。なお、ネットワーク構築判定部３４は、投票データの集計結果が閾値以下であれば、前記判定信号を出力しない。
【００３９】
ネットワーク構築部１３は、ネットワーク構築判定部３４によって無線ネットワークの構築に参加すると判断された場合、すなわちネットワーク構築判定部３４から判定信号が入力された場合に、無線ネットワークの構築への参加を行う。ネットワーク構築部１３は、ネットワーク構築実行部４１と、アプリケーション４２とを備える。
【００４０】
ネットワーク構築実行部４１は、ネットワーク構築判定部３４によって無線ネットワークの構築に参加すると判定された場合に、無線ネットワークの構築に参加する。具体的には、ネットワーク構築実行部４１は、ネットワーク構築判定部３４からネットワーク構築参加の判定信号を受けると、無線通信部１１によって他の無線通信端末２と無線ネットワークを構築する。なお、ネットワーク構築実行部４１は、一定時間経過後に、無線通信端末１が無線ネットワークから外れるように構成されていてもよい。
【００４１】
アプリケーション４２は、ネットワーク構築実行部４１によって無線ネットワークが構築された場合に、通信用のプログラムとして機能する。すなわち、アプリケーション４２は、例えばメールなどの通信用のアプリケーションである。
【００４２】
次に、本発明の実施形態に係る無線ネットワーク構築装置１の動作について図４を用いて説明する。図４は、無線ネットワーク構築装置１の動作を示すフロー図である。以下の説明において、図１及び図３を適宜、参酌する。また、本実施形態では、無線ネットワーク構築装置１を動作させることによって、無線ネットワーク構築方法が実施される。よって、本実施形態における無線ネットワーク構築方法の説明は、以下の無線ネットワーク構築装置１の動作説明に代える。
【００４３】
まず、無線ネットワーク構築装置１では、他の無線通信端末からＩＤ及び無線ネットワークへの参加有無の情報を受信すると、それらの情報は端末情報記憶部２１に記憶される（ステップＳ１）。なお、各無線通信端末には、図示しない記憶部にＩＤに関する情報が記憶されている。無線ネットワークへの参加有無に関する情報は、各無線通信端末において、ネットワーク構築部１３のネットワーク構築実行部４１によって無線ネットワークの構築が行われているかどうかを、無線通信部１１を介して受信することにより得られる。
【００４４】
他の無線通信端末からのＩＤ及び無線ネットワークへの参加有無の情報の受信は、常に行っていてもよいし、外部から地震などの緊急状態である旨の報知を受信した後に所定期間、行うようにしてもよい。また、ユーザーが専用のアプリケーション等で受信の有無を設定できるようにしてもよい。
【００４５】
無線ネットワーク構築装置１は、ステップＳ１で記憶された他の無線通信端末のＩＤ及び無線ネットワークへの参加状況の情報を、端末一覧表示部２２によって無線通信端末１０の表示画面に表示する（ステップＳ２）。これにより、無線通信端末１０のユーザーが、他の無線通信端末の無線ネットワークへの参加状況を容易に確認することができる。
【００４６】
なお、無線通信端末１０の表示画面では、無線ネットワークの構築に参加していない無線通信端末のうち、無線ネットワークの構築に参加させたい無線通信端末を選択することができる。すなわち、ステップＳ２では、無線通信端末１０の表示画面に、無線ネットワークの構築に参加していない無線通信端末を参加させるための投票用の表示（例えば、無線通信端末を選択するボタン等の表示）も行われる。
【００４７】
ユーザーが無線通信端末１０の表示画面に表示された他の無線通信端末のうち、無線ネットワークの構築に参加させたい無線通信端末を選択した場合（ステップＳ３においてＹＥＳの場合）、投票実行部２３によって、該無線通信端末に対して無線ネットワークへの参加を促す投票データの生成が行われる（ステップＳ４）。一方、ユーザーが参加させたい無線通信端末を選択しなかった場合（ステップＳ３においてＮＯの場合）には、選択されるまで待機する。なお、この待機は、所定時間経過後に解除して、その後、このフローを終了してもよい。
【００４８】
投票実行部２３は、投票データを生成した後、無線通信部１１を介して、ユーザーが選択した無線通信端末、すなわち投票対象の無線通信端末に、生成した投票データを送信する（ステップＳ５）。
【００４９】
投票対象の無線通信端末に送信された投票データは、該無線通信部の無線通信部１１を介して投票受付部１４の投票結果記憶部３１に記憶される。この投票結果記憶部３１では、投票データを記憶するとともに、該投票データを集計して記憶する（ステップＳ６）。そして、投票結果記憶部３１に記憶された集計結果は、投票結果表示部３２によって表示画面に表示されるとともに、無線通信部１１を介して他の無線通信端末に集計結果データとして送信されて該無線通信端末の表示画面に表示される（ステップＳ６）。
【００５０】
投票結果記憶部３１に記憶されている投票データの集計結果は、ネットワーク構築判定部３４に出力される。このネットワーク構築判定部３４では、閾値記憶部３３に記憶されている閾値よりも、投票データの集計結果が多いかどうかを判定する（ステップＳ７）。
【００５１】
ネットワーク構築判定部３４が閾値よりも投票データの集計結果の方が多いと判定した場合（ステップＳ７においてＹＥＳの場合）には、ネットワーク構築実行部４１によって無線ネットワークの構築に参加する（ステップＳ８）。ネットワーク構築実行部４１では、無線通信部１１によって他の無線通信端末とともに無線ネットワークを構築するとともに、アプリケーション４２を起動させて、該アプリケーション４２によって無線ネットワークを利用して通信を行う。その後、このフローを終了する（Ｅｎｄ）。
【００５２】
一方、ネットワーク構築判定部３４が、投票データの集計結果が閾値以下であると判定した場合（ステップＳ７においてＮＯの場合）には、ステップＳ９に進んで、投票開始から一定時間（投票期間）が経過したかどうかを判定する。投票開示から一定時間が経過している場合（ステップＳ９においてＹＥＳの場合）には、ステップＳ１に戻って、再度、他の無線通信端末からＩＤ及び無線ネットワークへの参加状況を受信し、参加してほしい無線通信端末をユーザーが選択した場合に該無線通信端末に対して投票を行う。これにより、投票結果を長時間待つことなく、一定時間経過後に、そのときの無線ネットワークの状況に応じて投票のやり直しを行うことができる。したがって、効率良く投票を行うことができる。
【００５３】
投票開始から一致時間が経過していない場合（ステップＳ９においてＮＯの場合）には、ステップＳ６に戻って、投票対象の無線通信端末において、投票の集計を継続する。この投票の集計は、ステップＳ７で投票による集計結果が閾値よりも大きくなるか、ステップＳ９で投票開始から一定時間が経過するまで、継続される。
【００５４】
なお、投票開始は、各無線通信端末で他の無線通信端末の無線ネットワークへの参加状況を受信した時点を意味する。
【００５５】
ここで、他の無線通信端末からＩＤ及び無線ネットワークへの参加状況の情報を受信するステップＳ１が参加状況検出ステップに対応し、無線ネットワークの構築に参加していない無線通信端末のうちユーザーが選択した無線通信端末に対して投票データを送信するステップＳ４，Ｓ５が投票ステップに対応する。投票対象の無線通信端末において投票を集計し、その結果を他の無線通信端末に送信して表示画面に表示するステップＳ６が投票集計ステップに対応し、投票の集計結果が閾値よりも大きいかどうかによって、無線通信端末を無線ネットワークの構築に参加させるかどうかを判定するステップＳ７がネットワーク構築判定ステップに対応する。投票対象の無線通信端末を投票の集計結果に応じて無線ネットワークの構築に参加させるステップＳ８がネットワーク構築ステップに対応する。
【００５６】
本実施形態の構成によれば、複数の無線通信端末によって構成される無線ネットワークの構築に参加していない無線通信端末を、他の通信端末からの投票結果に応じて、無線ネットワークの構築に参加させることができる。これにより、情報伝達に必要な無線ネットワークを、特定のユーザーに大きな権限を与えることなく構築することができる。したがって、効率の良い無線ネットワークを安全に構築することができる。
【００５７】
本発明の実施形態におけるプログラムは、コンピュータに、図４に示すステップＳ１からＳ９を実行させるプログラムであれば良い。このプログラムをコンピュータにインストールし、実行することによって、本実施形態における無線ネットワーク構築装置と無線ネットワーク構築方法とを実現することができる。この場合、コンピュータのＣＰＵ（Ｃｅｎｔｒａｌ  Ｐｒｏｃｅｓｓｉｎｇ  Ｕｎｉｔ）は、投票部１２、投票受付部１４及びネットワーク構築部１３として機能し、処理を行なう。
【００５８】
また、本実施形態では、端末情報記憶部２１、投票結果記憶部３１及び閾値記憶部３３は、コンピュータが有する記憶装置に、これらを構成するデータファイルを格納することによって、又はこのデータファイルが格納された記録媒体をコンピュータと接続された読取装置に搭載することによって実現されている。
【００５９】
ここで、本実施形態におけるプログラムを実行することによって、無線ネットワーク構築装置を実現するコンピュータについて図５を用いて説明する。図５は、本発明の実施形態における無線ネットワーク構築装置を実現するコンピュータの一例を示すブロック図である。
【００６０】
なお、図５に示すコンピュータは、パソコンに限らず、タブレットやスマートフォン、メディアプレーヤー、ＰＤＡなどの携帯端末を含む。
【００６１】
図５に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００６２】
ＣＰＵ１１１は、記憶装置１１３に格納された、本実施形態におけるプログラム（コード）をメインメモリ１１２に展開し、これらを所定順序で実行することにより、各種の演算を実施する。メインメモリ１１２は、典型的には、ＤＲＡＭ（Ｄｙｎａｍｉｃ  Ｒａｎｄｏｍ  Ａｃｃｅｓｓ  Ｍｅｍｏｒｙ）等の揮発性の記憶装置である。また、本実施形態におけるプログラムは、コンピュータ読み取り可能な記録媒体１２０に格納された状態で提供される。なお、本実施形態におけるプログラムは、通信インターフェイス１１７を介して接続されたインターネット上で流通するものであっても良い。
【００６３】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００６４】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００６５】
また、記録媒体１２０の具体例としては、ＣＦ（Ｃｏｍｐａｃｔ  Ｆｌａｓｈ（登録商標））及びＳＤ（Ｓｅｃｕｒｅ  Ｄｉｇｉｔａｌ）等の汎用的な半導体記憶デバイス、フレキシブルディスク（Ｆｌｅｘｉｂｌｅ  Ｄｉｓｋ）等の磁気記憶媒体、又はＣＤ−ＲＯＭ（Ｃｏｍｐａｃｔ  Ｄｉｓｋ  Ｒｅａｄ  Ｏｎｌｙ  Ｍｅｍｏｒｙ）などの光学記憶媒体が挙げられる。
【００６６】
上述した実施の形態の一部または全部は、以下に記載する（付記１）〜（付記１２）によって表現することができるが、以下の記載に限定されるものではない。
【００６７】
（付記１）
無線通信端末に設けられ、他の無線通信端末との間で無線ネットワークを構築するための無線ネットワーク構築装置であって、
前記他の無線通信端末との間で無線通信を行う無線通信部と、
前記無線通信端末が前記無線ネットワークの構築に参加している場合には、前記無線通信部を介して、前記無線ネットワークの構築への参加を求める無線通信端末に対して投票データを送信する投票部と、
前記無線通信端末が前記投票部によって投票された無線通信端末である場合には、投票の結果に応じて、前記無線ネットワークの構築に参加するネットワーク構築部とを備える、無線ネットワーク構築装置。
【００６８】
（付記２）
付記１に記載の無線ネットワーク構築装置において、
前記投票部から前記無線通信部を介して送信された投票データを集計する投票集計部と、
前記集計の結果と閾値とを比較して、無線ネットワークの構築に参加するかどうかの判定を行うネットワーク構築判定部とをさらに備え、
前記ネットワーク構築部は、前記ネットワーク構築判定部によって、無線ネットワークの構築に参加すると判定された場合に、該無線ネットワークの構築に参加する、無線ネットワーク構築装置。
【００６９】
（付記３）
付記２に記載の無線ネットワーク構築装置において、
前記投票集計部によって集計された投票データを表示する投票結果表示部をさらに備え、
前記投票集計部は、前記無線通信端末が前記投票部によって投票された無線通信端末である場合には、前記集計結果を、前記無線通信部を介して、それ以外の無線通信端末に送信し、
前記投票結果表示部は、前記無線通信端末が前記それ以外の無線通信端末である場合には、前記投票部によって投票された無線通信端末から前記集計結果を受信した際に、該集計結果を表示する、無線ネットワーク構築装置。
【００７０】
（付記４）
付記１に記載の無線ネットワーク構築装置において、
前記投票部は、投票を受け付ける投票期間の終了後、再度、投票動作を行う、無線ネットワーク構築装置。
【００７１】
（付記５）
複数の無線通信端末との間で無線ネットワークを構築するための無線ネットワーク構築方法であって、
前記複数の無線通信端末の無線ネットワークへの参加状況を検出する参加状況検出ステップと、
前記無線ネットワークの構築に参加している無線通信端末から、前記無線ネットワークの構築に参加していない無線通信端末のうち前記無線ネットワークの構築に参加している無線通信端末のユーザーが選択した無線通信端末に対し、無線通信を介して、前記無線ネットワークへの参加を促す投票データを送信する投票ステップと、
前記投票の対象となった無線通信端末が、投票の結果に応じて、前記無線ネットワークの構築に参加するネットワーク構築ステップとを備える、無線ネットワーク構築方法。
【００７２】
（付記６）
付記５に記載の無線ネットワーク構築方法において、
前記投票の対象となった無線通信端末において、前記投票ステップで送信された投票データを集計する投票集計ステップと、
前記集計の結果と閾値とを比較して、無線ネットワークの構築に参加するかどうかの判定を行うネットワーク構築判定ステップと、をさらに備え、
前記ネットワーク構築ステップでは、前記ネットワーク構築判定ステップによって、無線ネットワークの構築に参加すると判定された場合に、前記投票の対象となった無線通信端末が、前記無線ネットワークの構築に参加する、無線ネットワーク構築方法。
【００７３】
（付記７）
付記６に記載の無線ネットワーク構築方法において、
前記投票集計ステップでは、前記投票の対象となった無線通信端末において、前記集計結果を、無線通信を介して、他の無線通信端末に送信するとともに、該他の無線通信端末では、前記集計結果を受信した際に、該集計結果を表示画面に表示する、無線ネットワーク構築方法。
【００７４】
（付記８）
付記５に記載の無線ネットワーク構築方法において、
前記投票ステップでは、投票を受け付ける投票期間の終了後、再度、投票を受け付ける、無線ネットワーク構築方法。
【００７５】
（付記９）
複数の無線通信端末との間で無線ネットワークを構築するための無線ネットワーク構築方法を実行させるプログラムを記録したコンピュータ読み取り可能な記録媒体であって、
コンピュータに、
前記複数の無線通信端末の無線ネットワークへの参加状況を検出する参加状況検出ステップと、
前記無線ネットワークの構築に参加している無線通信端末から、前記無線ネットワークの構築に参加していない無線通信端末のうち前記無線ネットワークの構築に参加している無線通信端末のユーザーが選択した無線通信端末に対し、無線通信を介して、前記無線ネットワークへの参加を促す投票データを送信する投票ステップと、
前記投票の対象となった無線通信端末が、投票の結果に応じて、前記無線ネットワークの構築に参加するネットワーク構築ステップとを実行させる命令を含む、プログラムを記録したコンピュータ読み取り可能な記録媒体。
【００７６】
（付記１０）
付記９に記載のコンピュータ読み取り可能な記録媒体において、
前記プログラムが、前記コンピュータに、
前記投票の対象となった無線通信端末において、前記投票ステップで送信された投票データを集計する投票集計ステップと、
前記集計の結果と閾値とを比較して、無線ネットワークの構築に参加するかどうかの判定を行うネットワーク構築判定ステップと、をさらに実行させる命令を含み、
前記ネットワーク構築ステップでは、前記ネットワーク構築判定ステップによって、無線ネットワークの構築に参加すると判定された場合に、前記投票の対象となった無線通信端末が、前記無線ネットワークの構築に参加する、コンピュータ読み取り可能な記録媒体。
【００７７】
（付記１１）
付記１０に記載のコンピュータ読み取り可能な記録媒体において、
前記投票集計ステップでは、前記投票の対象となった無線通信端末において、前記集計結果を、無線通信を介して、他の無線通信端末に送信するとともに、該他の無線通信端末では、前記集計結果を受信した際に、該集計結果を表示画面に表示する、コンピュータ読み取り可能な記録媒体。
【００７８】
（付記１２）
付記９に記載のコンピュータ読み取り可能な記録媒体において、
前記投票ステップでは、投票を受け付ける投票期間の終了後、再度、投票を受け付ける、コンピュータ読み取り可能な記録媒体。
【００７９】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００８０】
この出願は、２０１５年３月３０日に出願された日本出願特願２０１５−０７００７９を基礎とする優先権を主張し、その開示の全てをここに取り込む。
【産業上の利用可能性】
【００８１】
本発明は、端末同士で無線ネットワークを構築するための無線ネットワーク構築装置に利用可能である。
【符号の説明】
【００８２】
１  無線ネットワーク構築装置
２〜６、１０  無線通信端末
１１  無線通信部
１２  投票部
１３  ネットワーク構築部
１４  投票受付部
２１  端末情報記憶部
２２  端末一覧表示部
２３  投票実行部
３１  投票結果記憶部（投票集計部）
３２  投票結果表示部
３３  閾値記憶部
３４  ネットワーク構築判定部
４１  ネットワーク構築実行部
４２  アプリケーション
【図１】
2016158924.tif 000003
【図２】
2016158924.tif 000004
【図３】
2016158924.tif 000005
【図４】
2016158924.tif 000006
【図５】
2016158924.tif 000007
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
無線通信端末に設けられ、他の無線通信端末との間で無線ネットワークを構築するための無線ネットワーク構築装置であって、
前記他の無線通信端末との間で無線通信を行う無線通信部と、
前記無線通信端末が前記無線ネットワークの構築に参加している場合には、前記無線通信部を介して、前記無線ネットワークの構築への参加を求める無線通信端末に対して投票データを送信する投票部と、
前記無線通信端末が前記投票部によって投票された無線通信端末である場合には、投票の結果に応じて、前記無線ネットワークの構築に参加するネットワーク構築部とを備える、無線ネットワーク構築装置。
【請求項２】
請求項１に記載の無線ネットワーク構築装置において、
前記投票部から前記無線通信部を介して送信された投票データを集計する投票集計部と、
前記集計の結果と閾値とを比較して、無線ネットワークの構築に参加するかどうかの判定を行うネットワーク構築判定部とをさらに備え、
前記ネットワーク構築部は、前記ネットワーク構築判定部によって、無線ネットワークの構築に参加すると判定された場合に、該無線ネットワークの構築に参加する、無線ネットワーク構築装置。
【請求項３】
請求項２に記載の無線ネットワーク構築装置において、
前記投票集計部によって集計された投票データを表示する投票結果表示部をさらに備え、
前記投票集計部は、前記無線通信端末が前記投票部によって投票された無線通信端末である場合には、前記集計結果を、前記無線通信部を介して、それ以外の無線通信端末に送信し、
前記投票結果表示部は、前記無線通信端末が前記それ以外の無線通信端末である場合には、前記投票部によって投票された無線通信端末から前記集計結果を受信した際に、該集計結果を表示する、無線ネットワーク構築装置。
【請求項４】
請求項１から３のいずれか一つに記載の無線ネットワーク構築装置において、
前記投票部は、投票を受け付ける投票期間の終了後、再度、投票動作を行う、無線ネットワーク構築装置。
【請求項５】
複数の無線通信端末との間で無線ネットワークを構築するための無線ネットワーク構築方法であって、
前記複数の無線通信端末の無線ネットワークへの参加状況を検出する参加状況検出ステップと、
前記無線ネットワークの構築に参加している無線通信端末から、前記無線ネットワークの構築に参加していない無線通信端末のうち前記無線ネットワークの構築に参加している無線通信端末のユーザーが選択した無線通信端末に対し、無線通信を介して、前記無線ネットワークへの参加を促す投票データを送信する投票ステップと、
前記投票の対象となった無線通信端末が、投票の結果に応じて、前記無線ネットワークの構築に参加するネットワーク構築ステップとを備える、無線ネットワーク構築方法。
【請求項６】
請求項５に記載の無線ネットワーク構築方法において、
前記投票の対象となった無線通信端末において、前記投票ステップで送信された投票データを集計する投票集計ステップと、
前記集計の結果と閾値とを比較して、無線ネットワークの構築に参加するかどうかの判定を行うネットワーク構築判定ステップと、をさらに備え、
前記ネットワーク構築ステップでは、前記ネットワーク構築判定ステップによって、無線ネットワークの構築に参加すると判定された場合に、前記投票の対象となった無線通信端末が、前記無線ネットワークの構築に参加する、無線ネットワーク構築方法。
【請求項７】
請求項６に記載の無線ネットワーク構築方法において、
前記投票集計ステップでは、前記投票の対象となった無線通信端末において、前記集計結果を、無線通信を介して、他の無線通信端末に送信するとともに、該他の無線通信端末では、前記集計結果を受信した際に、該集計結果を表示画面に表示する、無線ネットワーク構築方法。
【請求項８】
請求項５から７のいずれか一つに記載の無線ネットワーク構築方法において、
前記投票ステップでは、投票を受け付ける投票期間の終了後、再度、投票を受け付ける、無線ネットワーク構築方法。
【請求項９】
複数の無線通信端末との間で無線ネットワークを構築するための無線ネットワーク構築方法を実行させるプログラムであって、
コンピュータに、
前記複数の無線通信端末の無線ネットワークへの参加状況を検出する参加状況検出ステップと、
前記無線ネットワークの構築に参加している無線通信端末から、前記無線ネットワークの構築に参加していない無線通信端末のうち前記無線ネットワークの構築に参加している無線通信端末のユーザーが選択した無線通信端末に対し、無線通信を介して、前記無線ネットワークへの参加を促す投票データを送信する投票ステップと、
前記投票の対象となった無線通信端末が、投票の結果に応じて、前記無線ネットワークの構築に参加するネットワーク構築ステップとを実行させる、プログラム。
【請求項１０】
請求項９に記載のプログラムにおいて、
前記コンピュータに、
前記投票の対象となった無線通信端末において、前記投票ステップで送信された投票データを集計する投票集計ステップと、
前記集計の結果と閾値とを比較して、無線ネットワークの構築に参加するかどうかの判定を行うネットワーク構築判定ステップと、をさらに実行させ、
前記ネットワーク構築ステップでは、前記ネットワーク構築判定ステップによって、無線ネットワークの構築に参加すると判定された場合に、前記投票の対象となった無線通信端末が、前記無線ネットワークの構築に参加する、プログラム。
【請求項１１】
請求項１０に記載のプログラムにおいて、
前記投票集計ステップでは、前記投票の対象となった無線通信端末において、前記集計結果を、無線通信を介して、他の無線通信端末に送信するとともに、該他の無線通信端末では、前記集計結果を受信した際に、該集計結果を表示画面に表示する、プログラム。
【請求項１２】
請求項９から１１のいずれか一つに記載のプログラムにおいて、
前記投票ステップでは、投票を受け付ける投票期間の終了後、再度、投票を受け付ける、プログラム。
【手続補正３】
【補正対象書類名】明細書
【補正対象項目名】０００１
【補正方法】変更
【補正の内容】
【０００１】
本発明は、端末同士で無線ネットワークを構築するための無線ネットワーク構築装置、無線ネットワーク構築方法、及びこれらを実現するためのプログラムに関する。
【手続補正４】
【補正対象書類名】明細書
【補正対象項目名】００１１
【補正方法】変更
【補正の内容】
【００１１】
更に、上記目的を達成するため、本発明の一側面におけるプログラムは、複数の無線通信端末との間で無線ネットワークを構築するための無線ネットワーク構築方法を実行させるプログラムである。このプログラムは、コンピュータに、前記複数の無線通信端末の無線ネットワークへの参加状況を検出する参加状況検出ステップと、前記無線ネットワークの構築に参加している無線通信端末から、前記無線ネットワークの構築に参加していない無線通信端末のうち前記無線ネットワークの構築に参加している無線通信端末のユーザーが選択した無線通信端末に対し、無線通信を介して、前記無線ネットワークへの参加を促す投票データを送信する投票ステップと、前記投票の対象となった無線通信端末が、投票の結果に応じて、前記無線ネットワークの構築に参加するネットワーク構築ステップとを実行させる。
【手続補正５】
【補正対象書類名】明細書
【補正対象項目名】００４０
【補正方法】変更
【補正の内容】
【００４０】
ネットワーク構築実行部４１は、ネットワーク構築判定部３４によって無線ネットワークの構築に参加すると判定された場合に、無線ネットワークの構築に参加する。具体的には、ネットワーク構築実行部４１は、ネットワーク構築判定部３４からネットワーク構築参加の判定信号を受けると、無線通信部１１によって他の無線通信端末２と無線ネットワークを構築する。なお、ネットワーク構築実行部４１は、一定時間経過後に、無線通信端末１０が無線ネットワークから外れるように構成されていてもよい。
【手続補正６】
【補正対象書類名】明細書
【補正対象項目名】００４９
【補正方法】変更
【補正の内容】
【００４９】
投票対象の無線通信端末に送信された投票データは、該無線通信端末の無線通信部１１を介して投票受付部１４の投票結果記憶部３１に記憶される。この投票結果記憶部３１では、投票データを記憶するとともに、該投票データを集計して記憶する（ステップＳ６）。そして、投票結果記憶部３１に記憶された集計結果は、投票結果表示部３２によって表示画面に表示されるとともに、無線通信部１１を介して他の無線通信端末に集計結果データとして送信されて該無線通信端末の表示画面に表示される（ステップＳ６）。
【手続補正７】
【補正対象書類名】明細書
【補正対象項目名】００５３
【補正方法】変更
【補正の内容】
【００５３】
投票開始から一定時間が経過していない場合（ステップＳ９においてＮＯの場合）には、ステップＳ６に戻って、投票対象の無線通信端末において、投票の集計を継続する。この投票の集計は、ステップＳ７で投票による集計結果が閾値よりも大きくなるか、ステップＳ９で投票開始から一定時間が経過するまで、継続される。
【手続補正８】
【補正対象書類名】明細書
【補正対象項目名】００７５
【補正方法】変更
【補正の内容】
【００７５】
（付記９）
複数の無線通信端末との間で無線ネットワークを構築するための無線ネットワーク構築方法を実行させるプログラムであって、
コンピュータに、
前記複数の無線通信端末の無線ネットワークへの参加状況を検出する参加状況検出ステップと、
前記無線ネットワークの構築に参加している無線通信端末から、前記無線ネットワークの構築に参加していない無線通信端末のうち前記無線ネットワークの構築に参加している無線通信端末のユーザーが選択した無線通信端末に対し、無線通信を介して、前記無線ネットワークへの参加を促す投票データを送信する投票ステップと、
前記投票の対象となった無線通信端末が、投票の結果に応じて、前記無線ネットワークの構築に参加するネットワーク構築ステップとを実行させる、プログラム。
【手続補正９】
【補正対象書類名】明細書
【補正対象項目名】００７６
【補正方法】変更
【補正の内容】
【００７６】
（付記１０）
付記９に記載のプログラムにおいて、
前記コンピュータに、
前記投票の対象となった無線通信端末において、前記投票ステップで送信された投票データを集計する投票集計ステップと、
前記集計の結果と閾値とを比較して、無線ネットワークの構築に参加するかどうかの判定を行うネットワーク構築判定ステップと、をさらに実行させ、
前記ネットワーク構築ステップでは、前記ネットワーク構築判定ステップによって、無線ネットワークの構築に参加すると判定された場合に、前記投票の対象となった無線通信端末が、前記無線ネットワークの構築に参加する、プログラム。
【手続補正１０】
【補正対象書類名】明細書
【補正対象項目名】００７７
【補正方法】変更
【補正の内容】
【００７７】
（付記１１）
付記１０に記載のプログラムにおいて、
前記投票集計ステップでは、前記投票の対象となった無線通信端末において、前記集計結果を、無線通信を介して、他の無線通信端末に送信するとともに、該他の無線通信端末では、前記集計結果を受信した際に、該集計結果を表示画面に表示する、プログラム。
【手続補正１１】
【補正対象書類名】明細書
【補正対象項目名】００７８
【補正方法】変更
【補正の内容】
【００７８】
（付記１２）
付記９に記載のプログラムにおいて、
前記投票ステップでは、投票を受け付ける投票期間の終了後、再度、投票を受け付ける、プログラム。
【国際調査報告】
2016158924.tif 000008
2016158924.tif 000009
2016158924.tif 000010
2016158924.tif 000011